(57)【特許請求の範囲】
【請求項１】
帯板状の把手と、該把手の下方に連結される一対の板状体を左右対称に対向して配設してなる開封クリップと、を有する紙パック容器の開封器具であって、
該開封クリップの該板状体は、
該把手の下方に延設される挟着部を挟持し、紙パック容器の封緘部の略後半部を嵌め入れることができる第１スペースを形成する胴部と、
該胴部の下方に連成される末広がり形状をなすとともに、後方の屈曲部を介して前方に折り返された形状の折返し部が設けられ、該折返し部との間に、紙パック容器の屋根状部の略後半部を嵌め入れることができる第２スペースを形成する傾斜部と、を備え、
該傾斜部の前端縁には、紙パック容器の前半部側に形成される開閉部を、外側折合せ部が後方の屋根状部に当接するように折り曲げた状態にて、該開閉部の接着部に後方から差し込んで切り込みを形成するための挿入部が設けられ、
該把手の前方への傾動に伴って、該挟着部の下端前部が、該封緘部の中央頂部近傍を押し下げるとともに、該挿入部が、該開閉部の該外側折合せ部を押し下げて、該切り込みを押し広げるようになされた紙パック容器の開封器具。
【請求項２】
該挟着部の下端には、係止部が突設されており、
該把手の前方への傾動に伴って、該係止部が、該封緘部の後端縁を押圧して、該後端縁を前方に傾動させるようになされた請求項１に記載の紙パック容器の開封器具。
【請求項３】
該胴部の前端縁には、湾曲状に欠損された切欠部が形成され、該切欠部に連続して該挿入部が設けられている請求項１又は２に記載の紙パック容器の開封器具。
【発明の詳細な説明】
【技術分野】
【０００１】
本発明は、紙パック容器の開封器具に関する。
【背景技術】
【０００２】
従来、牛乳、ジュース、お茶等の飲料や醤油、酒等の内溶液を封入した紙パック容器が知られているが（図６を参照）、この紙パック容器Ｐの開封にあたっては、開閉部３４、３４を開き、左右両側から手で強く押すことにより、開封口４０、４０を開口させ、折込部３９を前方に引き出して注ぎ口を形成していた。
しかしながら、接着部３５、３５によって封止された開閉部３４、３４の外側折合せ部３６、３６と内側折合せ部３７、３７とを剥離させるためには、相当の力を要し、特に老人、女性、子供あるいは手に障害をもった人等に大きな負担を強いるものであった。
【０００３】
また、上記によっては、折込部３９を前方に引き出せないような場合には、接着部３５、３５を爪でこじあけ指先を入れて、外側折合せ部３６、３６と内側折合せ部３７、３７とを剥離させていたが、この剥離作業が実に困難をきわめるものであり、接着部３５、３５が綺麗に剥がれずに破損し、うまく開封口４０、４０を開口させることができないという問題があった。
【０００４】
これに対して、このような紙パック容器Ｐの開封作業を支援する器具としては、これまでに下記特許文献１乃至３に記載されるタイプのものが提案されている。
【０００５】
【特許文献１】実開平４−６５７１４
【特許文献２】実開昭５６−１４４７４３
【特許文献３】特開２００４−１１５１２２
【発明の開示】
【発明が解決しようとする課題】
【０００６】
ところが、上記特許文献１に記載されるものは、断面視略楔状に形成された「オプナー」を用いて、単に開閉部３４、３４を左右に切り開くようにしたにすぎず、上記問題を解決するには至っていない。
一方、上記特許文献２乃至３に記載されるものは、何れも爪状片を折込頂部３９’近辺の接着部３５に任意に挿入して前方に引っ張ることで、外側折合せ部３６、３６と内側折合せ部３７、３７とを剥離させるようにしているため、爪状片の挿入部位や挿入深度の設定、あるいは力の入れ加減が難しく、特に折込頂部３９’近辺は構造的にも弱いことから、依然として接着部３５を破損させてしまいがちであり、簡単に操作を行うことができないものであった。また、爪状片を折込頂部３９’近辺に過度に挿入してしまうことで、食品衛生上も問題があった。
【０００７】
そこで、本発明は、上記問題に鑑みてなされたものであり、きわめて簡単に操作でき、非常に小さな力で、誰にでも容易に、且つ綺麗に紙パック容器の開封を行うことのできる紙パック容器の開封器具を提供することを目的としている。
【課題を解決するための手段】
【０００８】
上記の課題を解決するために、請求項１に記載の紙パック容器の開封器具は、帯板状の把手と、該把手の下方に連結される一対の板状体を左右対称に対向して配設してなる開封クリップと、を有する紙パック容器の開封器具であって、該開封クリップの該板状体は、該把手の下方に延設される挟着部を挟持し、紙パック容器の封緘部の略後半部を嵌め入れることができる第１スペースを形成する胴部と、該胴部の下方に連成される末広がり形状をなすとともに、後方の屈曲部を介して前方に折り返された形状の折返し部が設けられ、該折返し部との間に、紙パック容器の屋根状部の略後半部を嵌め入れることができる第２スペースを形成する傾斜部と、を備え、該傾斜部の前端縁には、紙パック容器の前半部側に形成される開閉部を、外側折合せ部が後方の屋根状部に当接するように折り曲げた状態にて、該開閉部の接着部に後方から差し込んで切り込みを形成するための挿入部が設けられ、該把手の前方への傾動に伴って、該挟着部の下端前部が、該封緘部の中央頂部近傍を押し下げるとともに、該挿入部が、該開閉部の該外側折合せ部を押し下げて、該切り込みを押し広げるようになされたことを要旨とする。
【０００９】
また、請求項２に記載の紙パック容器の開封器具は、請求項１に記載の構成において、該挟着部の下端には、係止部が突設されており、該把手の前方への傾動に伴って、該係止部が、該封緘部の後端縁を押圧して、該後端縁を前方に傾動させるようになされたことを要旨とする。
【００１０】
また、請求項３に記載の紙パック容器の開封器具は、請求項１又は２に記載の構成において、該胴部の前端縁には、湾曲状に欠損された切欠部が形成され、該切欠部に連続して該挿入部が設けられていることを要旨とする。
【発明の効果】
【００１１】
本発明によれば、帯板状の把手と、該把手の下方に連結される一対の板状体を左右対称に対向して配設してなる開封クリップと、を有する紙パック容器の開封器具であって、該開封クリップの該板状体は、該把手の下方に延設される挟着部を挟持し、紙パック容器の封緘部の略後半部を嵌め入れることができる第１スペースを形成する胴部と、該胴部の下方に連成される末広がり形状をなすとともに、後方の屈曲部を介して前方に折り返された形状の折返し部が設けられ、該折返し部との間に、紙パック容器の屋根状部の略後半部を嵌め入れることができる第２スペースを形成する傾斜部と、を備え、該傾斜部の前端縁には、紙パック容器の前半部側に形成される開閉部を、外側折合せ部が後方の屋根状部に当接するように折り曲げた状態にて、該開閉部の接着部に後方から差し込んで切り込みを形成するための挿入部が設けられ、該把手の前方への傾動に伴って、該挟着部の下端前部が、該封緘部の中央頂部近傍を押し下げるとともに、該挿入部が、該開閉部の該外側折合せ部を押し下げて、該切り込みを押し広げるようになされた紙パック容器の開封器具であるため、きわめて簡単に操作でき、非常に小さな力で、誰にでも容易に、且つ綺麗に紙パック容器の開封を行うことが可能となる。
【発明を実施するための最良の形態】
【００１２】
以下、本発明の実施の形態について、図面を参照しながら詳細に説明する。
図１〜図５は、本実施形態に係る開封器具１を各面から見た図であり、図１は側面図、図２は正面図、図３は背面図、図４は平面図、図５は底面図である。
図６〜図７は、紙パック容器Ｐの開封状況を示す斜視図である。
図８〜図１１は、開封器具１を装着した紙パック容器Ｐの開封状況を示す図であり、図８は側面図、図９は背面図、図１０〜図１１は側面一部切り欠き図である。
図１２は、紙パック容器Ｐの開封状況を示す斜視図である。
【００１３】
まず、本実施形態に係る開封器具１の構成について、図１〜図５に基づき説明する。
図１〜図５に示すように、開封器具１は、前後に平たく上下に長く形成された帯板状の把手２と、把手２の下方に連結される開封クリップ３とから構成されている。
把手２は、木製の外板１０、１０の間にアクリル樹脂製の中板１１を圧着した三層構造よりなり、片手で握り易いように、全体としてやや肉厚に形成されるとともに、図１に示す如く中央部がくびれた形状となっている。
【００１４】
図１〜図５に示すように、開封クリップ３は、一対の板状体５、５を左右対称に対向して配設されており、所定の第１スペース７および第２スペース８、８を形成可能に構成されたものである。なお、本実施形態では、開封クリップ３をステンレス製としているが、この他にアルミ製や合成樹脂製等とすることもできる。但し、ステンレス製とすることにより、開封クリップ３を薄肉（１ｍｍ程度）に形成できるため操作性が向上し、また耐食性にも優れたものとなる。
【００１５】
図１〜図５に示すように、板状体５、５はそれぞれ、側面視略矩形状をなす胴部１５、１５と、胴部１５、１５の下方に連成される傾斜部１６、１６とから構成されており、傾斜部１６、１６は末広がりの形状、つまり下方にいくに従って外方に突出する形状となされている。把手２の下方には、中板１１が延出して挟着部１１’が形成されており、この挟着部１１’が胴部１５、１５によって略平行に左右両側から挟持され、スペーサーの役割を果たすことにより、胴部１５、１５の間に、第１スペース７が設けられるようになっている。
【００１６】
図１〜図２に示すように、胴部１５、１５の前端縁における適宜の位置には、湾曲状に欠損された切欠部１８、１８が形成されているとともに、傾斜部１６、１６の前端縁において、切欠部１８、１８に連続する尖鋭状の挿入部２０、２０が設けられている。
また、図１〜図５に示すように、傾斜部１６、１６は一部後方に延長されて延出部２１、２１が形成され、さらに屈曲部２２、２２を介して、傾斜部１６、１６の傾斜裏面に略平行して、且つ前方に折り返された形状の折返し部２３、２３が形成されており、傾斜部１６、１６と折返し部２３、２３との間に、第２スペース８、８がそれぞれ設けられるようになっている。
【００１７】
なお、本実施形態では、把手２および開封クリップ３の胴部１５、１５を、図１に示すように、それぞれ両皿形状のリベットＲを用いて互いに連結しているが、螺子や接着剤等その他の固着手段を使用又は併用してよいことは勿論である。
また、把手２は、上記のような外板１０、１０とアクリル樹脂製の中板１１とによる三層構造以外の構成とすることもできるが、このような構造であれば、加工が容易で見栄えも良好になるとともに、挟着部１１’の防水性を向上させることができる。
【００１８】
上記の如く構成される開封器具１の使用態様等について、図６〜図１２に基づき説明する。
本発明が対象とする紙パック容器Ｐは、従来公知の構成のものである。すなわち、図６に示すように、紙パック容器Ｐは、直方体状をなし任意の高さを有する本体部３０と、本体部３０の上部において山形に形成される屋根状部３１、３１とから構成され、屋根状部３１、３１の上端が上方に所定長だけ延長して合掌されることで封緘部３２が形成されてなるものである。そして、屋根状部３１、３１の前半部側には折目３４’、３４’を介して三角形状をなす開閉部３４、３４が形成されており、折込頂部３９’および中央頂部５０が前方に露呈するように開閉部３４、３４を左右両側に開き、接着部３５、３５によって封止された外側折合せ部３６、３６と内側折合せ部３７、３７とを剥離させて開封口４０、４０を開口させるとともに、折込部３９を正面側に引き出すことによって、注ぎ口を形成するようになされたものである。
【００１９】
開封器具１の使用に際しては、まず準備段階として、図６に示すように、紙パック容器Ｐの開閉部３４、３４を左右両側に開くが、このとき本発明では特に、図７に示すように、開閉部３４、３４の外側面、つまり外側折合せ部３６、３６が後方の屋根状部３１、３１の勾配面に当接するように、開閉部３４、３４を十分に押し開きさらに後方に折り曲げた状態としておく。
【００２０】
次に、紙パック容器Ｐのこのような状態を片方の手を用いて保持しながら、紙パック容器Ｐの後方（図７に示す矢印Ａの方向）から、もう一方の手を用いて開封器具１を装着する。
開封器具１の紙パック容器Ｐへの装着は、図８〜図９に示すように、第１スペース７に封緘部３２の略後半部を嵌め入れるとともに、第２スペース８、８に屋根状部３１、３１の略後半部における所定の高さ部分を嵌め入れることによって行う。さらに、図８〜図９に示すように、開封器具１を前進させるに伴い、挿入部２０、２０の尖端を、所定の状態に折り曲げられた開閉部３４、３４の接着部３５、３５内に開封口４０、４０から差し込み、開封口４０、４０を切開して切り込み４１、４１を形成するようにする。
【００２１】
本実施形態に係る開封器具１では、図１０に示すように、挟着部１１’の下端に水平をなした端面４５が形成されるとともに、後部において係止部４６が下方に突設されており、係止部４６が封緘部３２の後端縁５１に当接することで、開封器具１のそれ以上前方への移動が制止され、紙パック容器Ｐへの装着を完了できるようになっている。そして、装着を完了したときには、図１０に示すように、挿入部２０、２０の尖端が開閉部３４、３４の接着部３５、３５のちょうど中程の位置に到達するように構成されているものである。
【００２２】
開封器具１の紙パック容器Ｐへの装着が完了した後は、上記によって形成された接着部３５、３５の切り込み４１、４１を押し広げるための動作を行う。この動作としては、一方の手で紙パック容器Ｐを支えながら、他方の手で把手２を前方に傾動させるだけでよい。
すると、図１１に示すように、紙パック容器Ｐの屋根状部３１、３１の後端縁が、開封クリップ３の折返し部２３、２３によって上方に持ち上げられる作用とも相俟って、紙パック容器Ｐの封緘部３２の中央頂部５０近傍が、開封クリップ３の挟着部１１’の下端前部４５’によって押し下げられるとともに、開閉部３４、３４の外側折合せ部３６、３６が、開封クリップ３の挿入部２０、２０によって押し下げられ、切り込み４１、４１が押し広げられることで、開口５５が形成されることとなる。
【００２３】
このとき特に、外側折合せ部３６、３６の中央頂部５０周辺を、内側折合せ部３７、３７の折込頂部３９’周辺から剥離させる力が作用するため、図１１〜図１２に示すように、開口５５を、折込頂部３９’周辺を含み、且つ接着部３５を内外に連通したものとして形成できる。
【００２４】
さらに、本実施形態に係る開封器具１には係止部４６が備えられており、図１１に示すように、把手２の傾動に従って、係止部４６が紙パック容器Ｐの封緘部３２の後端縁５１を押圧し、後端縁５１を前方に傾動させるとともに封緘部３２の中央頂部５０を下方に移動させるモーメント力を作用させるため、より一層小さい力で切り込み４１、４１を押し広げて、開口５５を形成することができる。
しかも、挟着部１１’の下端には端面４５が形成されており、紙パック容器Ｐの封緘部３２の略後半部における上端縁３２’に略全面的に当接可能であるため、上記の係止部４６とともに、封緘部３２の略後半部を確実にホールドすることができる。
【００２５】
また、開封クリップ３の胴部１５、１５の前部には、所定形状の切欠部１８、１８が形成されているため、開閉部３４、３４の外側折合せ部３６、３６との衝突が阻止され、把手２の傾動に伴う胴部１５、１５の前方へのスムーズな傾動が妨げられないようになっている。
【００２６】
なお、図８に示すように、挿入部２０を接着部３５へ差し込んだ際に、挿入部２０の斜辺２０’が、開封口４０の形成する直線となるべく小さい角度（好ましくは１５〜４５度程度）をなすように構成することが好ましい。そのような構成であれば、挿入部２０が接着部３５内で面的に当接することとなって、開封口４０に沿う切り込み４１の幅を大きくとることができ、接着部３５を剥離やせ易いものとできる。
【００２７】
上記によって切り込み４１、４１を押し広げ、所定の開口５５を形成した後は、開封器具１をもとの垂直な状態に戻した上で、紙パック容器Ｐから取り外す。すると、図１２に示すように、紙パック容器Ｐの折込み頂部３９’からその左右にかけて開口５５が形成された状態を得ることができる。
【００２８】
そして、さらに図１２に示すように、開閉部３４、３４を前方に引っ張るが、開口５５が、上記した通り、折込頂部３９’周辺を含み、且つ接着部３５を内外に連通して形成されているため、開閉部３４、３４に左右両側から僅かな力を手で加えてやるだけで、きわめて簡単に、外側折合せ部３６、３６から内側折合せ部３７、３７を剥離させ、折込部３９および折込頂部３９’を前方に突出させて注ぎ口５６を形成することができる。
【００２９】
以上、本実施形態に係る開封器具１によれば、開閉部３４、３４が所定の状態となされた紙パック容器Ｐに開封クリップ３を装着し、把手２を前方に傾動させるだけで、開閉部３４、３４の接着部３５、３５に所定の開口５５を形成することができるため、きわめて操作が簡単である。しかも、把手２に加えられる力が非常に小さいものであっても、梃子の原理および上記した開封クリップ３の構造によって、紙パック容器Ｐに有効な力を作用させることができ、老人、女性、子供あるいは手に障害をもった人等でも容易に開封作業を行える。
【００３０】
また、折込頂部３９’近辺に爪状片を任意に挿入する従来のものと違って、誰が操作しても略一定の開口５５を形成できるとともに、折込頂部３９’近辺の接着部３５を破損させるおそれもなく、外側折合せ部３６、３６と内側折合せ部３７、３７とを非常に綺麗に剥離させることができる。そして、挿入部２０、２０が、折込頂部３９’から離れた位置で、且つ適度に差し込まれるため、食品衛生上も問題がない。
【００３１】
なお、第１スペース７および第２スペース８、８の構成について、紙パック容器Ｐの封緘部３２および屋根状部３１、３１をそれぞれ密嵌する構成とすることもできるが、より好ましくは、本発明により期待される作用効果を失わない範囲内で、これらを遊びのある状態（例えば１〜２ｍｍのクリアランス）で嵌め入れるように構成する。そのような構成であれば、開封器具１の紙パック容器Ｐへの着脱が容易に行えるものとなる。また、把手２の一部に永久磁石を埋設した構成としてもよい。この場合、冷蔵庫の扉等所望の場所に開封器具１を磁着保持させておくことが可能となり、必要なときに見つけ出し易く、利便性が向上する。
【００３２】
以上の実施形態の記述は、本発明をこれに限定するものではなく、本発明の要旨を逸脱しない範囲で種々の設計変更等が可能である。
【産業上の利用可能性】
【００３３】
本発明は、きわめて簡単に操作でき、非常に小さな力で、誰にでも容易に、且つ綺麗に紙パック容器の開封を行うことのできる紙パック容器の開封器具を提供するものであり、産業上の利用可能性を有する。
【図面の簡単な説明】
【００３４】
【図１】開封器具を示す側面図である。
【図２】開封器具を示す正面図である。
【図３】開封器具を示す背面図である。
【図４】開封器具を示す平面図である。
【図５】開封器具を示す底面図である。
【図６】開封状況を示す紙パック容器の斜視図である。
【図７】開封状況を示す紙パック容器の斜視図である。
【図８】開封状況を示す側面図である。
【図９】開封状況を示す背面図である。
【図１０】開封状況を示す側面一部切り欠き図である。
【図１１】開封状況を示す側面一部切り欠き図である。
【図１２】開封状況を示す紙パック容器の斜視図である。
【符号の説明】
【００３５】
１  開封器具
２  把手
３  開封クリップ
５  板状体
７  第１スペース
８  第２スペース
１１’  挟着部
１５  胴部
１６  傾斜部
１８  切欠部
２０  挿入部
２２  屈曲部
２３  折返し部
３１  屋根状部
３２  封緘部
３４  開閉部
３５  接着部
３６  外側折合せ部
３７  内側折合せ部
３９  折込部
３９’、３９’’  折込頂部
４１  切り込み
４５’  下端前部
４６  係止部
５０  中央頂部
５１  後端縁  
５５  開口
Ｐ  紙パック容器
【要約】
【課題】  きわめて簡単に操作でき、非常に小さな力で誰にでも容易に、且つ綺麗に紙パック容器の開封を行うことのできる紙パック容器の開封器具を提供する。
【解決手段】  帯板状の把手２と、把手２の下方に連結される一対の板状体５、５を左右対称に対向して配設してなる開封クリップ３と、を有する紙パック容器Ｐの開封器具１であって、封緘部３２を嵌め入れることができる第１スペース７を形成する胴部１５、１５と、屋根状部３１、３１を嵌め入れることができる第２スペース８、８を形成する傾斜部１６、１６とを備え、傾斜部１６、１６の前端縁には切り込み４１、４１を形成するための挿入部１８、１８が設けられ、把手２の前方への傾動に伴って、挟着部１１’の下端前部４５’が封緘部３２の中央頂部５０近傍を押し下げるとともに、挿入部１８、１８が開閉部３４、３４の外側折合せ部３６、３６を押し下げて、切り込み４１、４１を押し広げるように構成した。
【選択図】  図１１【図１】
0004195494.tif 000002
【図２】
0004195494.tif 000003
【図３】
0004195494.tif 000004
【図４】
0004195494.tif 000005
【図５】
0004195494.tif 000006
【図６】
0004195494.tif 000007
【図７】
0004195494.tif 000008
【図８】
0004195494.tif 000009
【図９】
0004195494.tif 000010
【図１０】
0004195494.tif 000011
【図１１】
0004195494.tif 000012
【図１２】
0004195494.tif 000013